(57)【要約】      （修正有）【課題】簡易な構造で、かご内の状況に適した効率の良い空調を行うことのできるエレベータ用空調装置の提供。【解決手段】エレベータのかご１に設置されるかご内ファン４０を制御するエレベータ用空調装置において、かご１内の温度を検出する温度検出手段１０と、かご１内の床占有面積を検出する床占有面積検出手段、例えば圧電素子２０と、温度検出手段１０の出力および圧電素子２０の出力から、所定の算式に基づいて送風量を演算する演算手段３０ａと、演算結果に基づきかご内ファン４０の送風量を制御する風量制御手段３０ｂとを備え、かご１内の温度および床占有面積の情報に基づき随時、かご内ファン４０の送風量を変化させる。【選択図】図２
2007022681.tif 000002
【特許請求の範囲】
【請求項１】
エレベータのかごに設置されるかご内ファンを制御するエレベータ用空調装置において、
前記かご内の温度を検出する温度検出手段と、前記かご内の床占有面積を検出する床占有面積検出手段と、前記温度検出手段の出力および前記床占有面積検出手段の出力から、所定の算式に基づいて送風量を演算する演算手段と、演算結果に基づき前記かご内ファンの送風量を制御する風量制御手段とを備えたことを特徴とするエレベータ用空調装置。
【請求項２】
エレベータのかごに設置されるかご内ファンを制御するエレベータ用空調装置において、
前記かご内の温度を検出する温度検出手段と、前記かごの積載荷重を検出するかご内積載荷重検出手段と、前記温度検出手段の出力および前記かご内積載荷重検出手段の出力から、所定の算式に基づいて送風量を演算する演算手段と、演算結果に基づき前記かご内ファンの送風量を制御する風量制御手段とを備えたことを特徴とするエレベータ用空調装置。
【発明の詳細な説明】
【技術分野】
【０００１】
本発明は、エレベータ用空調装置に係り、特に、かごに設置されるかご内ファンを制御するエレベータ用空調装置に関する。
【背景技術】
【０００２】
エレベータのかご内の温度は、季節や時間帯、混雑度によって変化するとともに、特に夏場にあっては、前記かご内の温度が上昇し乗客にとって不快なものとなる。このため従来、かごに設置されるかご内ファンの送風量を切り替えるスイッチを設け、ビル管理人等がこのスイッチを操作することにより送風量の切り替えを行っている。
【０００３】
また、かご内人数検出手段、ホール人数検出手段、および温度、湿度等の環境状態検出手段により、建物全体の空調設備を制御する空調設備の制御装置などが考案されている（例えば、特許文献１参照）。
【０００４】
【特許文献１】特開平９−１５１０４１号公報（段落番号〜、第１図）
【発明の開示】
【発明が解決しようとする課題】
【０００５】
しかしながら、ビル管理人等がスイッチの操作でかご内ファンの送風量を切り替えるものの場合、時々刻々とエレベータ乗客数は変化するため、一定時間毎に何度もスイッチを切り替えないと乗客が少ない時でも強風の設定になる可能性や、混雑時に弱風の設定になる可能性がある。また、後者の人数検出手段および環境状態検出手段による空調設備の制御装置は、人数検出手段として何らかのセンサを用いる場合、複数の乗客が連続で乗り込んだときに人数を誤検出する可能性があるとともに、モニタ等によりかご内の画像を解析して人数を検出する場合、モニタや画像解析装置が必要となり設備費の増加を招く。また、大きな荷物を持った乗客が乗り込んだ場合は、人数が少なくてもかご内の風通しが悪くなって運転効率の低下を招いたり、小さな子供が大勢乗り込んだ場合は過度の風量の設定になったりするなど、十分な快適さを得られないという問題がある。
【０００６】
本発明は、前述した従来技術における実状からなされたもので、その目的は、簡易な構造で、かご内の状況に適した効率の良い空調を行うことのできるエレベータ用空調装置を提供することにある。
【課題を解決するための手段】
【０００７】
前記目的を達成するために、本発明の請求項１に係る発明は、エレベータのかごに設置されるかご内ファンを制御するエレベータ用空調装置において、前記かご内の温度を検出する温度検出手段と、前記かご内の床占有面積を検出する床占有面積検出手段と、前記温度検出手段の出力および前記床占有面積検出手段の出力から、所定の算式に基づいて送風量を演算する演算手段と、演算結果に基づき前記かご内ファンの送風量を制御する風量制御手段とを備えたことを特徴としている。
【０００８】
このように構成した本発明の請求項１に係る発明は、前記温度検出手段により前記かご内の温度を検出するとともに、前記床占有面積検出手段により前記かご内の床占有面積を検出する。そして、前記演算手段は前記温度検出手段および前記床占有面積検出手段の出力から所定の算式に基づいて送風量を演算し、前記風量制御手段は演算結果に基づき前記かご内ファンの送風量を制御する。このように、前記かご内の温度および床占有面積の情報に基づき随時、前記かご内ファンの送風量を変化させることができることから、簡易な構造で、前記かご内の状況に適した効率の良い空調を行うことができる。
【０００９】
また、前記目的を達成するために、本発明の請求項２に係る発明は、エレベータのかごに設置されるかご内ファンを制御するエレベータ用空調装置において、前記かご内の温度を検出する温度検出手段と、前記かごの積載荷重を検出するかご内積載荷重検出手段と、前記温度検出手段の出力および前記かご内積載荷重検出手段の出力から、所定の算式に基づいて送風量を演算する演算手段と、演算結果に基づき前記かご内ファンの送風量を制御する風量制御手段とを備えたことを特徴としている。
【００１０】
このように構成した本発明の請求項２に係る発明は、前記温度検出手段により前記かご内の温度を検出するとともに、前記かご内積載荷重検出手段により前記かごの積載荷重を検出する。そして、前記演算手段は前記温度検出手段および前記かご内積載荷重検出手段の出力から所定の算式に基づいて送風量を演算し、前記風量制御手段は演算結果に基づき前記かご内ファンの送風量を制御する。このように、前記かご内の温度および床占有面積の情報に基づき随時、前記かご内ファンの送風量を変化させることができることから、簡易な構造で、前記かご内の状況に適した効率の良い空調を行うことができる。
【発明の効果】
【００１１】
本発明は、かご内の温度と床占有面積、或いはかご内積載荷重の情報に基づきかご内ファンの送風量を変化させることにより、前記かご内の状況に適した効率の良い空調を行なうことができ、これによって、快適なかご内空間を実現することができる。また、かご内ファンの送風量はかご内の温度と床占有面積、或いはかご内積載荷重の情報に基づく制御であることから、比較的簡易な構造とすることができ、したがって、設備費の低減を図ることができる。
【発明を実施するための最良の形態】
【００１２】
以下、本発明に係るエレベータの空調装置の実施の形態を図に基づいて説明する。
【００１３】
図１は本発明のエレベータ用空調装置の第１の実施形態を示す概略構造図、図２は空調装置の要部を示すブロック図、図３は空調装置の処理手順を示すフローチャートである。
【００１４】
第１の実施形態のエレベータ用空調装置は図１、２に示すように、かご１の天井部に設置され、強風および弱風に切り替えが可能なかご内ファン４０と、かご１内の温度を検出する温度センサ１０と、かご１内の床占有面積を検出する床占有面積検出手段、例えば複数に分割された床面に埋設される圧電素子２０と、かご１とテールコード７で電気的に接続された制御盤３０に設けられ、温度センサ１０の出力および圧電素子２０の出力から、所定の算式に基づいて送風量を演算する演算手段３０ａ、および演算結果に基づきかご内ファン４０の送風量を制御する風量制御手段３０ｂとが備えられている。また、前述の圧電素子２０は乗客や荷物等による圧力で出力が変化し、この出力に基づき制御盤３０の演算手段３０ａはかご１内の床占有面積を検出するようになっている。
【００１５】
第１の実施形態のエレベータ用空調装置では図３に示すように、手順Ｓ１０でかご１内の温度センサ１０があらかじめ設定した温度Ｔ１以上であることを判断したときに、手順Ｓ１１に示すように圧電素子２０の出力があらかじめ設定した面積Ｓ１以上であることが判断されると、風量制御手段３０ｂは手順Ｓ１２としてかご内ファン４０を強風に設定する。一方、手順Ｓ１３に示すように温度センサ１０の出力があらかじめ設定した温度Ｔ２以下であることが判断され、かつ、手順Ｓ１４として電圧素子２０の出力があらかじめ設定した面積Ｓ２以下であることが判断されると、風量制御手段３０ｂは手順Ｓ１５に示すようにかご内ファン４０を弱風に切り替える。
【００１６】
第１の実施形態によれば、かご１内の温度および床占有面積の情報に基づき随時、かご内ファン４０の送風量を強風および弱風へと切り替えることができることから、簡易な構造で、かご１内の状況に適した効率の良い空調を行うことができる。
【００１７】
図４は本発明のエレベータ用空調装置の第２の実施形態を示すフローチャートである。
【００１８】
第２の実施形態のエレベータ用空調装置は、前述した第１の実施形態の空調装置と同等の構造であることから図１、２を参照して説明する。その違いは第１の実施形態の空調装置はかご内ファン４０の送風量が強風および弱風の２段階切り替え可能であることに対し、第２の実施形態の空調装置はかご内ファン４０の送風量が多段階に切り替え可能なことである。
【００１９】
第２の実施形態のエレベータ用空調装置では図４に示すように、手順Ｓ２０でかご１内の温度センサ１０があらかじめ設定した温度Ｔ１以上であることを判断したときに、手順Ｓ２１に示すように圧電素子２０の出力があらかじめ設定した面積Ｓ１以上であることが判断されると、風量制御手段３０ｂは手順Ｓ２２としてかご内ファン４０の回転数をＶ１に設定する。一方、手順Ｓ２３に示すように温度センサ１０の出力があらかじめ設定した温度Ｔ２以上であることが判断され、かつ、手順Ｓ２４として電圧素子２０の出力があらかじめ設定した面積Ｓ２以上であることが判断されると、風量制御手段３０ｂは手順Ｓ２５に示すようにかご内ファン４０の回転数をＶ２に切り替える。また、手順Ｓ２６に示すように温度センサ１０の出力があらかじめ設定した温度Ｔ３以上であることが判断され、かつ、手順Ｓ２７として電圧素子２０の出力があらかじめ設定した面積Ｓ３以上であることが判断されると、風量制御手段３０ｂは手順Ｓ２８に示すようにかご内ファン４０の回転数をＶ３に切り替える。さらに、手順Ｓ２９で温度センサ１０の出力があらかじめ設定した温度Ｔｎ以下であることが判断され、かつ、手順Ｓ３０として電圧素子２０の出力があらかじめ設定した面積Ｓｎ以下であることが判断されると、風量制御手段３０ｂは手順Ｓ３１に示すようにかご内ファン４０を停止する。
【００２０】
第２の実施形態によれば、かご１内の温度および床占有面積の情報に基づき随時、かご内ファン４０の送風量を多段階で切り替え、かつ停止させることができることから、簡易な構造で、かご１内の状況に適したより効率の良い空調を行うことができる。
【００２１】
図５は本発明のエレベータ用空調装置の第３の実施形態を示すブロック図である。なお、前述した図１、２に示すものと同等のものには同一符合が付してある。すなわち、１はかご、１０は温度検出手段、４０はかご内ファンである。
【００２２】
第３の実施形態のエレベータ用空調装置は図５に示すように、かご１の積載荷重を検出するかご内積載荷重検出手段２１と、かご１とテールコードで電気的に接続された制御盤３１に設けられ、温度検出手段１０の出力およびかご内積載荷重検出手段２１の出力から、所定の算式に基づいて送風量を演算する演算手段３１ａ、および演算結果に基づきかご内ファン４０の送風量を制御する風量制御手段３１ｂとを備えている。
【００２３】
第３の実施形態のエレベータ用空調装置では、温度検出手段１０によりかご１内の温度を検出するとともに、かご内積載荷重検出手段２１によりかご１の積載荷重を検出する。そして、演算手段３１ａは温度検出手段１０およびかご内積載荷重検出手段２１の出力から所定の算式に基づいて送風量を演算し、風量制御手段３１ｂは演算結果に基づきかご内ファン４０の送風量を制御する。
【００２４】
第３の実施形態のエレベータ用空調装置によれば、かご１内の温度およびかご積載荷重の情報に基づき随時、かご内ファン４０の送風量を変化させることができることから、簡易な構造で、かご１内の状況に適した効率の良い空調を行うことができる。
【図面の簡単な説明】
【００２５】
【図１】本発明のエレベータ用空調装置の第１の実施形態を示す概略構造図である。
【図２】空調装置の要部を示すブロック図である。
【図３】空調装置の処理手順を示すフローチャートである。
【図４】本発明のエレベータ用空調装置の第２の実施形態を示すフローチャートである。
【図５】本発明のエレベータ用空調装置の第３の実施形態を示すブロック図である。
【符号の説明】
【００２６】
１  かご
１０  温度検出手段
２０  圧電素子（床占有面積検出手段）
２１  かご内積載荷重検出手段
３０、３１  制御盤
３０ａ、３１ａ  演算手段
３０ｂ、３１ｂ  送風量制御手段
４０  かご内ファン
【図１】
2007022681.tif 000003
【図２】
2007022681.tif 000004
【図３】
2007022681.tif 000005
【図４】
2007022681.tif 000006
【図５】
2007022681.tif 000007